(57)【要約】  アーム（４）は、一端部がタッチパネル式ディスプレイ（２）の背面に回転自在に支持され、他端部がタッチパネル式ディスプレイ（２）の前面で操作デバイス（３）に連結される。操作デバイス（３）は、アーム（４）の一端部を回転中心（Ａ）にしてタッチパネル式ディスプレイ（２）の前面上でスライド移動する。
2019073538.tif 000002
【特許請求の範囲】
【請求項１】
タッチパネル式ディスプレイと、
回転操作される回転操作部および前記回転操作部の一面側に設けられて前記タッチパネル式ディスプレイの前面に接触する導電性の接触部を有する操作デバイスと、
一端部が前記タッチパネル式ディスプレイの背面に回転自在に支持され、他端部が前記タッチパネル式ディスプレイの前面で前記操作デバイスに連結されるアームとを備え、
前記操作デバイスは、前記アームの前記一端部を回転中心にして前記タッチパネル式ディスプレイの前面上でスライド移動することを特徴とするタッチパネル式ディスプレイ装置。
【請求項２】
前記操作デバイスは、前記タッチパネル式ディスプレイの前面下部側において左右方向にスライド移動することを特徴とする請求項１記載のタッチパネル式ディスプレイ装置。
【請求項３】
前記アームは、前記タッチパネル式ディスプレイの背面から前面へ至る箇所で屈曲している屈曲部を有することを特徴とする請求項１記載のタッチパネル式ディスプレイ装置。
【請求項４】
スライド移動した前記操作デバイスを予め定められた初期位置へ戻す戻し機構を備えることを特徴とする請求項１記載のタッチパネル式ディスプレイ装置。
【請求項５】
スライド移動した前記操作デバイスを当該スライド移動した位置に保持する位置保持機構を備えることを特徴とする請求項１記載のタッチパネル式ディスプレイ装置。
【請求項６】
前記アームは、前記一端部を回転中心にしたスライド移動の方向とは異なる方向であって前記タッチパネル式ディスプレイの前面に平行な方向へ、前記操作デバイスを移動させる伸縮部を有することを特徴とする請求項１記載のタッチパネル式ディスプレイ装置。
【請求項７】
前記アームは、前記タッチパネル式ディスプレイの背面に回転自在に支持される第１アーム部、前記タッチパネル式ディスプレイの前面に配置され前記操作デバイスに連結される第２アーム部、および、前記第１アーム部と前記第２アーム部とを回転自在に接続する回転軸部を有し、
前記操作デバイスは、前記回転軸部を回転中心にして前記タッチパネル式ディスプレイの前面上で回転移動することを特徴とする請求項１記載のタッチパネル式ディスプレイ装置。
【請求項８】
前記操作デバイスの前記接触部は、前記タッチパネル式ディスプレイの前面に接触した状態でスライド移動することを特徴とする請求項１記載のタッチパネル式ディスプレイ装置。
【請求項９】
前記操作デバイスの前記回転操作部は、導電性部材で構成されており、前記接触部に導通することを特徴とする請求項１記載のタッチパネル式ディスプレイ装置。
【発明の詳細な説明】
【技術分野】
【０００１】
この発明は、静電容量タッチパネルが一体化されたディスプレイ装置（以下、「タッチパネル式ディスプレイ装置」と称する）に関するものである。
【背景技術】
【０００２】
ナビゲーション装置、オーディオ装置、またはセンターディスプレイ等の車載製品において、タッチパネル式ディスプレイ装置の需要が高まっている。従来のタッチパネル式ディスプレイ装置は、表面に凹凸がないため、運転者等の乗員はティスプレイを見ながらタッチパネルを操作する必要があった。【０００３】
特許文献１に係る入力表示装置は、タッチパネル式ディスプレイ装置の上に操作デバイスが設置され、操作デバイスに運転者の指が接触することで操作デバイスがタッチパネルに検知される。運転者は、操作デバイスを操作することにより、運転中にディスプレイを見ることなく直観的な操作ができる。
【先行技術文献】
【特許文献】
【０００４】
【特許文献１】特開２０１６−２０６９３０号公報
【発明の概要】
【発明が解決しようとする課題】
【０００５】
操作デバイスがディスプレイ上に固定される場合、操作デバイスが固定されている面積分、表示画面が小さくなる。また、操作デバイスがスライド構造によってディスプレイ上を上下方向等にスライド可能に支持される場合、ディスプレイの側面にスライド構造が設けられている面積分、表示画面が小さくなる。さらに、操作デバイスの操作性向上のために運転席側からも助手席側からも近い位置に操作デバイスを配置しようとした場合、ディスプレイ上に２つ以上の操作デバイスが配置されることになり、表示画面が小さくなる。このように、従来、操作デバイスを備えるタッチパネル式ディスプレイ装置は、表示画面が小さいという課題があった。【０００６】
この発明は、上記のような課題を解決するためになされたもので、操作デバイスを備えるタッチパネル式ディスプレイ装置の表示画面を大きくすることを目的とする。
【課題を解決するための手段】
【０００７】
この発明に係るタッチパネル式ディスプレイ装置は、タッチパネル式ディスプレイと、回転操作される回転操作部および回転操作部の一面側に設けられてタッチパネル式ディスプレイの前面に接触する導電性の接触部を有する操作デバイスと、一端部がタッチパネル式ディスプレイの背面に回転自在に支持され、他端部がタッチパネル式ディスプレイの前面で操作デバイスに連結されるアームとを備え、操作デバイスは、アームの一端部を回転中心にしてタッチパネル式ディスプレイの前面上でスライド移動するものである。
【発明の効果】
【０００８】
この発明によれば、操作デバイスが、タッチパネル式ディスプレイの背面に支持されたアームの一端部を回転中心にして、タッチパネル式ディスプレイの前面上でスライド移動するようにしたので、従来に比べて表示画面を大きくすることができる。
【図面の簡単な説明】
【０００９】
【図１】実施の形態１に係るタッチパネル式ディスプレイ装置の構成例を示す正面図である。
【図２】実施の形態１に係るタッチパネル式ディスプレイ装置の車両設置例を示す斜視図である。
【図３】実施の形態１に係るタッチパネル式ディスプレイ装置の構成例を示し、図３Ａは正面図、図３Ｂは側面図、図３Ｃは背面図である。
【図４】実施の形態１の操作デバイスが有する接触部の構成例を示す背面図である。
【図５】図５Ａおよび図５Ｂは、実施の形態１の戻し機構の動作を説明する図である。
【図６】図６Ａ、図６Ｂ、および図６Ｃは、実施の形態１に係るタッチパネル式ディスプレイ装置１の理解を助けるための参考例である。
【図７】図７Ａは、実施の形態２に係るタッチパネル式ディスプレイ装置において操作デバイスが初期位置にある状態を示す背面図であり、図７Ｂは位置保持機構の拡大図である。
【図８】図８Ａは、実施の形態２に係るタッチパネル式ディスプレイ装置において操作デバイスがスライド移動先で位置保持された状態を示す背面図であり、図８Ｂは位置保持機構の拡大図である。
【図９】図９Ａ、図９Ｂ、および図９Ｃは、実施の形態２の位置保持機構の動作を説明する図である。
【図１０】実施の形態３に係るタッチパネル式ディスプレイ装置の構成例を示す正面図である。
【図１１】実施の形態４に係るタッチパネル式ディスプレイ装置の構成例を示す正面図である。
【発明を実施するための形態】
【００１０】
以下、この発明をより詳細に説明するために、この発明を実施するための形態について、添付の図面に従って説明する。
実施の形態１．
図１は、実施の形態１に係るタッチパネル式ディスプレイ装置１の構成例を示す正面図である。タッチパネル式ディスプレイ装置１は、主として、タッチパネル式ディスプレイ２と、操作デバイス３と、アーム４とを備える。
【００１１】
図２は、実施の形態１に係るタッチパネル式ディスプレイ装置１の車両設置例を示す斜視図である。図２の例では、タッチパネル式ディスプレイ装置１は、運転席と助手席との間に設置され、運転席の運転者および助手席の乗員のどちらもタッチパネル式ディスプレイ装置１に手が届く。以下では、操作デバイス３を操作する運転者および乗員等を区別する必要がない場合、単にユーザと呼ぶ。
なお、図１および図２では、タッチパネル式ディスプレイ２の下部が被覆されているが、被覆されていなくてもよい。
【００１２】
図３は、実施の形態１に係るタッチパネル式ディスプレイ装置１の構成例を示し、図３Ａは正面図、図３Ｂは側面図、図３Ｃは背面図である。図４は、実施の形態１の操作デバイス３が有する接触部３ｂの構成例を示す背面図である。タッチパネル式ディスプレイ２は、ディスプレイの上に静電容量タッチパネルが重ねられ、フレーム２ｂで固定されている。
【００１３】
アーム４は、第１アーム部４ａと、第２アーム部４ｂと、屈曲部４ｃとを有する。第１アーム部４ａは、タッチパネル式ディスプレイ２の背面２ｃ側に配置される。第２アーム部４ｂは、タッチパネル式ディスプレイ２の表示画面２ａ側に配置される。屈曲部４ｃは、タッチパネル式ディスプレイ２を間に挟んだ状態で、第１アーム部４ａと第２アーム部４ｂとを連結する。第１アーム部４ａの一端部は、ヒンジ５等によって、タッチパネル式ディスプレイ２の背面２ｃに回転自在に支持される。この第１アーム部４ａの他端部には、屈曲部４ｃを介して、第２アーム部４ｂの一端部が接続される。第２アーム部４ｂの他端部には、操作デバイス３が連結される。操作デバイス３は、ユーザの操作により、アーム４の一端部を回転中心Ａにして、タッチパネル式ディスプレイ２の表示画面２ａ上をスライド方向Ｂにスライド移動する。図２および図３に示される操作デバイス３の位置は、「初期位置」である。
【００１４】
操作デバイス３は、回転操作部３ａと、１つ以上の接触部３ｂとを有する。回転操作部３ａは、例えば導電性部材で構成されており、ユーザの手によって回転操作方向Ｃに回転操作される。接触部３ｂは、回転操作部３ａの背面に設けられた導電性部材であり、回転操作部３ａに導通された状態でタッチパネル式ディスプレイ２の前面に接触する。回転操作部３ａのスライド方向Ｂおよび回転操作方向Ｃへの移動に伴い、接触部３ｂもタッチパネル式ディスプレイ２の前面に接触した状態で移動する。タッチパネル式ディスプレイ２は、３つの接触部３ｂを検知して３つの接触部３ｂの重心を算出し、算出した重心を操作デバイス３のスライド方向Ｂの位置とする。また、タッチパネル式ディスプレイ２は、３つの接触部３ｂの回転軌跡を検知し、検知した回転軌跡を回転操作方向Ｃの回転操作量とする。
【００１５】
なお、図示例では、回転操作部３ａは、中央に穴の開いた環状に形成されているが、どのような形状でもよい。また、回転操作部３ａの背面に３つの接触部３ｂが設けられているが、接触部３ｂの設置個数は２個以上であればよく、設置位置は任意でよい。また、回転操作部３ａは、導電性部材以外の部材で構成されてもよい。
【００１６】
次に、タッチパネル式ディスプレイ２の背面２ｃ側の詳細な構成例を説明する。
図３Ｂに示されるように、プレート１１およびプレート１２は、第１アーム部４ａにネジで結合される。プレート１３は、プレート１１およびプレート１２にネジで結合される。プレート１１，１２，１３は、第１アーム部４ａと共にスライド移動する。プレート１４は、タッチパネル式ディスプレイ２の背面２ｃにネジで結合される。プレート１３とプレート１４との間は、２つのバネ６で接続される。
【００１７】
２つのバネ６の一方は、一端部が、プレート１３の右端部に設けられたフック１３ａに支持され、他端部が、プレート１４の右端部に設けられたフック１４ａに支持される。２つのバネ６のもう一方は、一端部が、プレート１３の左端部に設けられたフック１３ａに支持され、他端部が、プレート１４の左端部に設けられたフック１４ａに支持される。これらの２つのバネ６は、操作デバイス３を初期位置に戻すための戻し機構である。
【００１８】
図５Ａおよび図５Ｂは、実施の形態１の戻し機構の動作を説明する図である。図５Ａにおいて、ユーザが操作デバイス３を初期位置から矢印方向へスライド移動させる。ユーザは、矢印方向へスライド移動させた操作デバイス３から手を離すことなく回転操作部３ａの回転操作をすることができる。図５Ｂにおいて、ユーザが操作デバイス３から手を離すと、バネ６の荷重により、操作デバイス３が矢印方向へ移動して初期位置に戻る。ユーザが操作デバイス３を操作しない間は、２つのバネ６の荷重のつり合いにより、操作デバイス３は初期位置に保持される。
なお、戻し機構は、バネ６に限定されるものではなく、磁石またはダンパ等でもよい。また、操作デバイス３およびアーム４の自重により、操作デバイス３が初期位置に戻る構成であってもよい。
【００１９】
図３Ｂに示されるように、第１アーム部４ａの右側および左側には、それぞれ、クッション１５が設置される。クッション１５は、操作デバイス３がスライド方向Ｂに移動してタッチパネル式ディスプレイ装置１の周囲の部材に衝突した場合に衝撃を緩和する。
【００２０】
ボールプランジャ２１は、プレート１１に固定され、プレート１４の上端部に弾性的に接触する。このボールプランジャ２１は、ユーザの誤操作等によって操作デバイス３に対して下方向に衝撃が加わった場合に、プレート１４の上端部に支えられることによって操作デバイス３の脱落を防止する。ボールプランジャ２２は、プレート１３に固定され、第１アーム部４ａに弾性的に接触する。ボールプランジャ２３は、第１アーム部４ａに固定され、プレート１４に弾性的に接触する。ボールプランジャ２２およびボールプランジャ２３は、操作デバイス３の奥行き方向のがたつきを防止する。
【００２１】
図６Ａ、図６Ｂ、および図６Ｃは、実施の形態１に係るタッチパネル式ディスプレイ装置１の理解を助けるための参考例である。参考例のタッチパネル式ディスプレイ装置１００ａ，１００ｂ，１００ｃは、実施の形態１のタッチパネル式ディスプレイ装置１と同様に、運転席と助手席との間に設置される。
【００２２】
図６Ａに示される参考例のタッチパネル式ディスプレイ装置１００ａは、タッチパネル式ディスプレイ２の表示画面２ａ外に、２つの操作デバイス３が固定されている。運転席の運転者および助手席の乗員のどちらからも操作が可能なように、２つの操作デバイス３が固定される分、表示画面２ａが狭まる。
【００２３】
図６Ｂに示される参考例のタッチパネル式ディスプレイ装置１００ｂは、タッチパネル式ディスプレイ２の表示画面２ａ内に、２つの操作デバイス３が固定されている。図６Ｂの参考例でも、２つの操作デバイス３が固定される分、表示画面２ａが狭まる。
【００２４】
図６Ｃに示される参考例のタッチパネル式ディスプレイ装置１００ｃの右側に、上下方向にスライド移動するアーム１０１が設置され、このアーム１０１に操作デバイス３が連結されている。また、タッチパネル式ディスプレイ装置１００ｃの左側にも、上下方向にスライド移動するアーム１０１が設置され、このアーム１０１に操作デバイス３が連結されている。２つのアーム１０１を設置するために、タッチパネル式ディスプレイ装置１００ｃの左右のフレーム２ｂの幅が広がり、その分、表示画面２ａが狭まる。また、タッチパネル式ディスプレイ装置１００ｃの操作デバイス３は、上下方向に直線的にスライド移動するため、この操作デバイス３を移動させるユーザの手が不自然な動きとなり、身体に負担をかけることになる。
【００２５】
これに対し、実施の形態１に係るタッチパネル式ディスプレイ装置１は、タッチパネル式ディスプレイ２と、回転操作される回転操作部３ａおよび回転操作部３ａの一面側に設けられてタッチパネル式ディスプレイ２の前面に接触する導電性の接触部３ｂを有する操作デバイス３と、一端部がタッチパネル式ディスプレイ２の背面２ｃに回転自在に支持され他端部がタッチパネル式ディスプレイ２の前面で操作デバイス３に連結されるアーム４とを備える構成である。そして、操作デバイス３は、アーム４の一端部を回転中心Ａにしてタッチパネル式ディスプレイ２の前面上でスライド方向Ｂにスライド移動する。実施の形態１のタッチパネル式ディスプレイ装置１は、１つの操作デバイス３が運転席側と助手席側とにスライド移動するため、複数の操作デバイス３をタッチパネル式ディスプレイ２に設置する必要がない。また、アーム４の一端部は、タッチパネル式ディスプレイ２の背面２ｃに支持される。そのため、実施の形態１のタッチパネル式ディスプレイ装置１は、参考例のタッチパネル式ディスプレイ装置１００ａ，１００ｂ，１００ｃに比べて、タッチパネル式ディスプレイ２の表示画面２ａを大きくすることができる。また、実施の形態１の操作デバイス３は円弧状にスライド移動するため、ユーザは、人間工学的に自然な動きで操作デバイス３を移動させることができる。また、実施の形態１の操作デバイス３は、操作デバイス３が初期位置から上方へスライド移動するため、操作デバイス３のストップ位置を感覚的にユーザへ伝えることができ、操作性が向上する。
【００２６】
また、実施の形態１の操作デバイス３は、タッチパネル式ディスプレイ２の前面下部側において左右方向にスライド移動する構成である。この構成により、運転席の運転者および助手席の乗員のどちらからも操作デバイス３を操作しやすい。
なお、タッチパネル式ディスプレイ装置１の用途は、車載用に限定されない。操作デバイス３がスライド移動する位置は、タッチパネル式ディスプレイ２の前面下部側に限定されるものではなく、ユーザとタッチパネル式ディスプレイ装置１との位置関係に応じて変更可能である。また、操作デバイス３がスライド移動する方向は、左右方向に限定されるものではなく、ユーザとタッチパネル式ディスプレイ装置１との位置関係に応じて変更可能である。
【００２７】
また、実施の形態１に係るタッチパネル式ディスプレイ装置１は、スライド移動した操作デバイス３を予め定められた初期位置へ戻す、バネ６等の戻し機構を備える構成である。この構成により、ユーザが操作デバイス３から手を離せば、操作デバイス３は自動的に初期位置に戻る。無操作時に初期位置に操作デバイス３を配置することにより、ユーザが操作時に迷わず手を操作デバイス３へ持っていくことができる。そのため、運転者は車両運転時に視線をそらさずに操作デバイス３を操作することができ、操作性が向上する。
【００２８】
また、実施の形態１における操作デバイス３の接触部３ｂは、タッチパネル式ディスプレイ２の前面に接触した状態でスライド移動する構成である。タッチパネル式ディスプレイ２が接触部３ｂを検知することにより、操作デバイス３のスライド方向Ｂへの移動と、回転操作部３ａの回転操作方向Ｃへの移動との両方を検知できる。よって、タッチパネル式ディスプレイ２以外に、操作デバイス３を検知するセンサは必要ない。
【００２９】
また、実施の形態１における操作デバイス３の回転操作部３ａは、導電性部材で構成されており、接触部３ｂに導通する構成である。この構成により、タッチパネル式ディスプレイ２は、ユーザの手が操作デバイス３に触れているか否かを検知できるようになる。そのため、タッチパネル式ディスプレイ装置１は、ユーザの手が操作デバイス３に触れているときだけアプリケーションを起動させ、操作デバイス３に触れていないときはアプリケーションを閉じるといった動作ができる。結果、ユーザはより直観的な操作ができる。
【００３０】
実施の形態２．
実施の形態１の操作デバイス３は、ユーザが手を離すと自動的に初期位置に戻る構成であった。これに対し、実施の形態２の操作デバイス３は、ユーザが手を離しても初期位置に戻らず、手を離した位置で保持される構成である。
【００３１】
図７Ａは、実施の形態２に係るタッチパネル式ディスプレイ装置１において操作デバイス３が初期位置にある状態を示す背面図であり、図７Ｂは位置保持機構の拡大図である。図８Ａは、実施の形態２に係るタッチパネル式ディスプレイ装置１において操作デバイス３がスライド移動先で位置保持された状態を示す背面図であり、図８Ｂは位置保持機構の拡大図である。図７および図８において、図１〜図５と同一または相当する部分は、同一の符号を付し説明を省略する。
【００３２】
位置保持機構は、例えば、ボールプランジャ２４と、ボールプランジャ２４が嵌る凹部１４ｂとにより構成される。ボールプランジャ２４は、第１アーム部４ａのプレート１４側に固定され、プレート１４の下端部に弾性的に接触する。プレート１４の下端部には、１つ以上の凹部１４ｂが形成される。操作デバイス３とアーム４のスライド移動に伴ってボールプランジャ２４が凹部１４ｂの位置へ移動し、ボールプランジャ２４のボールが凹部１４ｂに嵌ることにより、操作デバイス３とアーム４がその位置で保持される。なお、図７および図８の例では、プレート１４の下端部の左右２か所に２つの凹部１４ｂが形成されるが、凹部１４ｂの形成位置および形成数はこれに限定されるものではない。例えば、プレート１４の下端部中央である初期位置にも凹部１４ｂが形成されてもよい。
【００３３】
図９Ａ、図９Ｂ、および図９Ｃは、実施の形態２の位置保持機構の動作を説明する図である。図９Ａにおいて、ユーザが操作デバイス３を初期位置から矢印方向へスライド移動させる。図９Ｂにおいて、ボールプランジャ２４が凹部１４ｂに嵌った状態になるため、ユーザが操作デバイス３から手を離しても操作デバイス３の位置が保持される。図９Ｃにおいて、ユーザは、操作デバイス３から手を離した後も連続的に同じ位置で回転操作部３ａを回転操作できる。そのため、手の移動を軽減でき、ユーザの操作ストレスを軽減できる。ユーザが操作デバイス３を初期位置に戻したい場合、ユーザが手で操作デバイス３に軽く触れればボールプランジャ２４と凹部１４ｂとの嵌合が解除され、バネ６の荷重が作用して操作デバイス３が矢印方向へスライド移動して初期位置に戻る。
【００３４】
なお、プレート１４の下端部の曲率に比べて、ボールプランジャ２４の移動軌跡の曲率を大きくしてもよい。この構成により、操作デバイス３が初期位置付近にあるときにはボールプランジャ２４がプレート１４の下端部に接触せず、操作デバイス３がスライド方向Ｂの左右端へ移動したときにのみボールプランジャ２４とプレート１４の下端部とが接触する。ユーザが操作デバイス３をスライド移動させている最中にボールプランジャ２４とプレート１４の下端部とが接触しないため、ユーザに滑らかな操作感を提供することができる。
【００３５】
以上のように、実施の形態２に係るタッチパネル式ディスプレイ装置１は、スライド移動した操作デバイス３を当該スライド移動した位置に保持する、ボールプランジャ２４等の位置保持機構を備える構成である。この構成により、ユーザが自身の手元に操作デバイス３を引き寄せた状態で操作デバイス３の位置を保持することができ、操作性が向上する。
【００３６】
実施の形態３．
図１０は、実施の形態３に係るタッチパネル式ディスプレイ装置１の構成例を示す正面図である。図１０において、図１〜図５、図７および図８と同一または相当する部分は、同一の符号を付し説明を省略する。
【００３７】
実施の形態３のアーム４は、第２アーム部４ｂの部分に伸縮部４ｄを有する。伸縮部４ｄは、自身が伸縮することにより、スライド方向Ｂとは異なる伸縮方向Ｄであってタッチパネル式ディスプレイ２の前面に平行な方向へ、操作デバイス３を移動させる。伸縮部４ｄは、例えば、互いに大きさが異なる複数の筒体により構成される。最外側の筒体の内部に、ひと回り小さい筒体が収納され、このひと回り小さい筒体の内部に、さらに小さい筒体が収納される。最内側の筒体には操作デバイス３が連結される。
【００３８】
このように、アーム４が伸縮部４ｄを有することにより、タッチパネル式ディスプレイ２の前面における操作デバイス３の移動範囲が広がる。
【００３９】
なお、実施の形態３の伸縮部４ｄは、実施の形態１または実施の形態２のいずれのアーム４にも組み合わせることができる。
【００４０】
実施の形態４．
図１１は、実施の形態４に係るタッチパネル式ディスプレイ装置１の構成例を示す正面図である。図１１において、図１〜図５、図７および図８と同一または相当する部分は、同一の符号を付し説明を省略する。
【００４１】
実施の形態４のアーム４は、屈曲部４ｃの部分に回転軸部４ｅを有する。回転軸部４ｅは、第１アーム部４ａと第２アーム部４ｂとを回転自在に接続する。回転軸部４ｅは、例えば、ヒンジである。操作デバイス３は、回転軸部４ｅを回転中心Ｅにして、タッチパネル式ディスプレイ２の前面上で回転方向Ｆへ回転移動する。
【００４２】
このように、アーム４が回転軸部４ｅを有することにより、タッチパネル式ディスプレイ２の前面における操作デバイス３の移動範囲が広がる。
【００４３】
なお、実施の形態３の回転軸部４ｅは、実施の形態１または実施の形態２のいずれのアーム４にも組み合わせることができる。
また、実施の形態３の回転軸部４ｅは、実施の形態３の伸縮部４ｄと組み合わせることができる。これにより、操作デバイス３の移動範囲がさらに広がる。
【００４４】
本発明はその発明の範囲内において、各実施の形態の自由な組み合わせ、各実施の形態の任意の構成要素の変形、または各実施の形態の任意の構成要素の省略が可能である。
また、各実施の形態に係るタッチパネル式ディスプレイ装置１は、車両に搭載されるものに限定されない。
【産業上の利用可能性】
【００４５】
この発明に係るタッチパネル式ディスプレイ装置は、表示画面を大きくするようにしたので、ナビゲーション装置、オーディオ装置、またはセンターディスプレイ等の車載製品などに用いるのに適している。
【符号の説明】
【００４６】
１，１００ａ，１００ｂ，１００ｃ  タッチパネル式ディスプレイ装置、２  タッチパネル式ディスプレイ、２ａ  表示画面、２ｂ  フレーム、２ｃ  背面、３  操作デバイス、３ａ  回転操作部、３ｂ  接触部、４，１０１  アーム、４ａ  第１アーム部、４ｂ  第２アーム部、４ｃ  屈曲部、４ｄ  伸縮部、４ｅ  回転軸部、５  ヒンジ、６  バネ（戻し機構）、１１，１２，１３，１４  プレート、１３ａ，１４ａ  フック、１４ｂ  凹部（位置保持機構）、１５  クッション、２１，２２，２３  ボールプランジャ、２４  ボールプランジャ（位置保持機構）、Ａ，Ｅ  回転中心、Ｂ  スライド方向、Ｃ  回転操作方向、Ｄ  伸縮方向、Ｆ  回転方向。
【図１】
2019073538.tif 000003
【図２】
2019073538.tif 000004
【図３】
2019073538.tif 000005
【図４】
2019073538.tif 000006
【図５】
2019073538.tif 000007
【図６】
2019073538.tif 000008
【図７】
2019073538.tif 000009
【図８】
2019073538.tif 000010
【図９】
2019073538.tif 000011
【図１０】
2019073538.tif 000012
【図１１】
2019073538.tif 000013
【国際調査報告】
2019073538.tif 000014
2019073538.tif 000015